(57)【要約】【課題】用途に応じて形状変更可能なスクリーンを有する投影装置並びにそのような投影装置を用いた投影方法及び投影プログラムを提供すること。【解決手段】投影装置１００は、立体度を変化可能に構成されたスクリーン１２８の立体度を変化させるスクリーン形状変更部１３０と、スクリーンに投影すべき投影画像を含むコンテンツが入力される入力部１０２と、入力されたコンテンツに応じた立体度となるようにスクリーン形状変更部１３０を制御するスクリーン形状制御部１２０１と、投影画像をスクリーン１２８に投影する投影処理部１１４とを備える。【選択図】図１
2016090818.tif 000002
【特許請求の範囲】
【請求項１】
立体度を変化可能に構成されたスクリーンの前記立体度を変化させるスクリーン形状変更部と、
前記スクリーンに投影すべき投影画像を含むコンテンツに応じた立体度となるように前記スクリーン形状変更部を制御するスクリーン形状制御部と、
前記投影画像を前記スクリーンに投影する投影処理部と、
を具備する投影装置。
【請求項２】
前記スクリーン形状制御部は、投影画像におけるキャラクタの表示を重視して広告効果を高める投影モードであるキャラクタ重視モードの場合の前記立体度を、前記投影画像における文字の見易さを重視する投影モードである文字重視モードの場合の前記立体度に比べて大きくする請求項１に記載の投影装置。
【請求項３】
前記スクリーン形状制御部は、前記投影画像に応じて前記投影モードが前記キャラクタ重視モードと前記文字重視モードとの何れであるかを判定する請求項２に記載の投影装置。
【請求項４】
前記コンテンツは、さらに音声を含み、
前記スクリーン形状制御部は、前記音声に応じて前記スクリーン形状変更部を制御する請求項１乃至３の何れか１項に記載の投影装置。
【請求項５】
立体度を変化可能に構成されたスクリーンに投影すべき投影画像を含むコンテンツを取得することと、
取得されたコンテンツに応じた立体度となるように前記スクリーンを制御することと、
前記投影画像を前記スクリーンに投影することと、
を具備する投影方法。
【請求項６】
立体度を変化可能に構成されたスクリーンに投影すべき投影画像を含むコンテンツを取得することと、
取得されたコンテンツに応じた立体度となるように前記スクリーンを制御することと、
前記投影画像を前記スクリーンに投影することと、
をコンピュータに実行させるための投影プログラム。
【発明の詳細な説明】
【技術分野】
【０００１】
本発明は、投影装置、投影方法及び投影プログラムに関する。
【背景技術】
【０００２】
近年、デジタルサイネージ（電子看板）と呼ばれる広告媒体を用いた広告の形態が増えてきている。デジタルサイネージは、広告用の画像をスクリーンに投影することによって広告を行うように構成された広告媒体である。このようなデジタルサイネージでは、投影する画像を変更することにより、別の広告を行うことが可能である。
【０００３】
デジタルサイネージの１つの形態として、バーチャルマネキンと呼ばれる形態が知られている。バーチャルマネキンは、人型等のスクリーンに、このスクリーンの形状と同じ形状の画像を投影装置から投影することで宣伝や案内等の視覚的効果を向上させるようにしたものである。このようなバーチャルマネキンに関する提案として、例えば特許文献１の提案が知られている。特許文献１において提案されている方法は、スクリーンの近傍に人が検知された場合に広告用の画像をスクリーンに投影している。
【先行技術文献】
【特許文献】
【０００４】
【特許文献１】特開２０１１−１５０２２１号公報
【発明の概要】
【発明が解決しようとする課題】
【０００５】
バーチャルマネキン等に用いられるスクリーンは、平面又は曲面等の固定された形状である。このようなスクリーンの場合には、投影できる画像はスクリーンの形状によって決まってしまう。そして、一旦、スクリーンの形状が決定されてしまうと、スクリーンの形状変更は容易ではない。このため、スクリーンの用途はある程度に限定されてしまう。
【０００６】
本発明は、前記の事情に鑑みてなされたもので、用途に応じて形状変更可能なスクリーンを有する投影装置並びにそのような投影装置を用いた投影方法及び投影プログラムを提供することを目的とする。
【課題を解決するための手段】
【０００７】
前記の目的を達成するために、本発明の第１の態様の投影装置は、立体度を変化可能に構成されたスクリーンの前記立体度を変化させるスクリーン形状変更部と、前記スクリーンに投影すべき投影画像を含むコンテンツに応じた立体度となるように前記スクリーン形状変更部を制御するスクリーン形状制御部と、前記投影画像を前記スクリーンに投影する投影処理部とを具備する。
【０００８】
前記の目的を達成するために、本発明の第２の態様の投影方法は、立体度を変化可能に構成されたスクリーンに投影すべき投影画像を含むコンテンツを取得することと、取得されたコンテンツに応じた立体度となるように前記スクリーンを制御することと、前記投影画像を前記スクリーンに投影することとを具備する。
【０００９】
前記の目的を達成するために、本発明の第３の態様の投影プログラムは、立体度を変化可能に構成されたスクリーンに投影すべき投影画像を含むコンテンツを取得することと、取得されたコンテンツに応じた立体度となるように前記スクリーンを制御することと、前記投影画像を前記スクリーンに投影することとをコンピュータに実行させる。
【発明の効果】
【００１０】
本発明によれば、用途に応じて形状変更可能なスクリーンを有する投影装置並びにそのような投影装置を用いた投影方法及び投影プログラムを提供することができる。
【図面の簡単な説明】
【００１１】
【図１】本発明の一実施形態に係る投影装置の構成を示すブロック図である。
【図２】スクリーンの一例の構成を示す図である。
【図３】本発明の一実施形態に係る投影装置による投影方法の処理を示したフローチャートである。
【図４】変形例に係る投影装置による投影方法の処理を示したフローチャートである。
【発明を実施するための形態】
【００１２】
以下、図面を参照して本発明の実施形態を説明する。図１は、本発明の一実施形態に係る投影装置の構成を示すブロック図である。投影装置１００は、入力部１０２と、画像変換部１０４と、光源部１０６と、反射ミラー１０８と、マイクロミラー素子１１０と、投影レンズ部１１２と、投影処理部１１４と、音声処理部１１６と、スピーカ１１８と、中央制御部１２０と、プログラムメモリ１２２と、メインメモリ１２４と、操作部１２６と、スクリーン１２８と、スクリーン形状変更部１３０と、システムバス１３２とを有する。
【００１３】
入力部１０２には、コンテンツが入力される。コンテンツは、画像、音声、又はその組み合わせである。コンテンツとしてアナログの画像信号が入力された場合、入力部１０２は、入力された各種規格のアナログ画像信号をデジタル画像信号（画像データ）に変換する。コンテンツとして音声信号が入力された場合、入力部１０２は、入力された音声信号を音声処理部１１６に出力する。
【００１４】
画像変換部１０４は、スケーラとも称される。画像変換部１０４は、システムバス１３２に接続されている。画像変換部１０４は、入力部１０２を介して入力された画像データを投影に適した所定のフォーマットの画像データに変換し、変換データを投影処理部１１４に送信する。また、必要に応じて画像変換部１０４は、投影装置１００の各種動作状態を示すシンボルやメニュー表示といったＯｎ  Ｓｃｒｅｅｎ  Ｄｉｓｐｌａｙ（ＯＳＤ）用のＯＳＤデータを投影画像データに重畳する。
【００１５】
光源部１０６は、投影処理部１１４の制御の下、赤（Ｒ）、緑（Ｇ）、青（Ｂ）の原色光を含む複数色の光を射出する。ここで、光源部１０６は、複数色の色を時分割で順次射出するように構成されている。光源部１０６から射出された光は、反射ミラー１０８で反射し、マイクロミラー素子１１０に入射する。
【００１６】
マイクロミラー素子１１０は、例えばデジタル・マイクロミラー・デバイス（ＤＭＤ）のように、アレイ状に配列された複数の微小ミラーを有する。各微小ミラーは、高速でオン／オフ動作して、光源部１０６からマイクロミラー素子１１０の光入射出面に向かって照射された光を投影レンズ部１１２の方向に反射させたり、投影レンズ部１１２の方向から外したりする。マイクロミラー素子１１０の光入射出面には、微小ミラーが例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分だけ並べられている。各微小ミラーにおける反射によって、マイクロミラー素子１１０は、例えばＷＸＧＡ解像度の画像を形成する。このように、マイクロミラー素子１１０は空間的光変調素子として機能する。
【００１７】
投影レンズ部１１２は、マイクロミラー素子１１０から導かれた光を、スクリーン１２８に投影する光に調整する。したがって、マイクロミラー素子１１０による反射光で形成された画像は、投影レンズ部１１２を介して、例えばスクリーン１２８に投影される。
【００１８】
投影処理部１１４は、システムバス１３２に接続されており、画像変換部１０４から送信された画像データに応じて、その画像データが表す画像を表示させるようにマイクロミラー素子１１０を駆動する。すなわち、投影処理部１１４は、マイクロミラー素子１１０の各微小ミラーをオン／オフ動作させる。ここで、投影処理部１１４は、マイクロミラー素子１１０を高速に時分割駆動する。単位時間の分割数は、所定のフォーマットに従ったフレームレート、例えば６０［フレーム／秒］と、色成分の分割数と、表示階調数とを乗算して得られる数である。また、投影処理部１１４は、マイクロミラー素子１１０の動作と同期させて光源部１０６の動作も制御する。すなわち、投影処理部１１４は、各フレームを時分割して、フレーム毎に全色成分の光を順次射出するように光源部１０６の動作を制御する。
【００１９】
音声処理部１１６は、システムバス１３２に接続されており、例えばＰＣＭ音源等の音源回路を備える。入力部１０２から入力されたアナログ音声データに基づいて又は投影動作時に与えられたデジタル音声データをアナログ化した信号に基づいて、音声処理部１１６は、スピーカ１１８を駆動して放音させる。また、音声処理部１１６は、必要に応じてビープ音等を発生させる。スピーカ１１８は、音声処理部１１６から入力された信号に基づいて音声を射出する一般的なスピーカである。
【００２０】
中央制御部１２０は、例えばＣＰＵやＡＳＩＣで構成され、画像変換部１０４、投影処理部１１４、音声処理部１１６等の動作を制御する。この中央制御部１２０は、プログラムメモリ１２２及びメインメモリ１２４と接続されている。プログラムメモリ１２２は、電気的に書き換え可能な不揮発性メモリで構成される。プログラムメモリ１２２は、中央制御部１２０が実行する動作プログラムや各種定型データ等を記憶する。メインメモリ１２４は、例えばＳＲＡＭで構成される。メインメモリ１２４は、中央制御部１２０のワークメモリとして機能する。
【００２１】
また、本実施形態の中央制御部１２０は、スクリーン形状制御部１２０１としての機能を有している。スクリーン形状制御部１２０１としての機能は、入力部１０２で得られた投影画像データの種類に応じてスクリーン１２８の形状を変更するようにスクリーン形状変更部１３０の動作を制御する機能である。
【００２２】
操作部１２６は、ユーザが各種キーを操作したときに生成するキー操作信号を中央制御部１２０に出力する。
【００２３】
スクリーン１２８は、投影レンズ部１１２からの投影光の射出光路上に配置されており、その形状を変更可能に構成されている。なお、スクリーン１２８は、投影装置１００に対して一体的に設けられていても良いし、別体として設けられても良い。スクリーン形状変更部１３０は、中央制御部１２０の制御に従ってスクリーン１２８の形状を変更する。
【００２４】
以下、図２を参照してスクリーン１２８及びスクリーン形状変更部１３０についてさらに説明する。図２は、スクリーン１２８の構成の一例を示す図である。
【００２５】
図２（ａ）は、スクリーン１２８の正面図である。図２（ａ）に示すように、一例のスクリーン１２８は、概略人型であり、顔部Ｆと胴体部Ｂとを有している。なお、スクリーン１２８の形状は人型に限るものではない。
【００２６】
図２（ｂ）は、スクリーン１２８の断面図である。図２（ｂ）に示すように、スクリーン１２８は、拡散透過部１２８１と、バルーン１２８２と、フレネルレンズ１２８３とを有している。
【００２７】
フレネルレンズ１２８３は、板状に形成され、バルーン１２８２を挟んで拡散透過部１２８１の背面側全体を覆うようになっている。フレネルレンズ１２８３の光射出側であるフレネルレンズ１２８３の拡散透過部１２８１の側は、のこぎり歯状の断面形状をしている。一方、フレネルレンズ１２８３の投影レンズ部１１２側は、平面になっている。なお、フレネルレンズ１２８３の形状はこの構造に限らない。この構造とは反対に、フレネルレンズ１２８３の拡散透過部１２８１側が平面になっており、フレネルレンズ１２８３の投影レンズ部１１２側がのこぎり歯状の断面形状となっていても良い。さらには、フレネルレンズ１２８３の両面側がともにのこぎり歯状の断面形状となっていても良い。このような構成のフレネルレンズ１２８３は、投影レンズ部１１２から射出された投影光（ＬＢ）を、スクリーン１２８に対して正対している観察者Ｈ１から見て略平行光となるように偏向して射出する。
【００２８】
拡散透過部１２８１は、伸縮可能な透明部材（例えば樹脂）で構成され、フレネルレンズ１２８３で偏向された投影光（ＬＢ）を拡散透過させる。また、拡散透過部１２８１は、バルーン１２８２の膨張又は収縮に応じて形状を変化させる。なお、拡散透過部１２８１は、表面にマット加工が施されていることが好ましい。マット加工によって、外部の光が拡散透過部１２８１の表面で反射しにくくなり、映像が見えにくくなることを防止することができる。
【００２９】
バルーン１２８２には、吸気口１２８４ａと排気口１２８４ｂとが形成されている。吸気口１２８４ａには、吸気弁１２８５ａが設けられた吸気管１２８６ａが接続されている。また、排気口１２８４ｂには、排気弁１２８５ｂが設けられた排気管１２８６ｂが接続されている。そして、吸気管１２８６ａ及び排気管１２８６ｂは、スクリーン形状変更部１３０に接続されている。
【００３０】
このような構成を有するバルーン１２８２は、スクリーン形状変更部１３０によって吸気管１２８６ａから気体（例えば空気）が供給されることによって膨張し、スクリーン形状変更部１３０によって排気管１２８６ｂから気体が排出されることによって収縮する。なお、吸気弁１２８５ａ及び排気弁１２８５ｂは、不要な気体がバルーン１２８２内に流入してしまうのを防止するために設けられている。
【００３１】
本実施形態におけるバルーン１２８２は、顔部Ｆと胴体部Ｂとで気体の流入量に対する膨張度合いが異なっている。例えば、顔部Ｆのほうが胴体部Ｂよりも膨張度合いが大きくなるようにバルーン１２８２は構成されている。このため、バルーン１２８２は、吸気管１２８６ａからの気体の供給によって、図２（ｃ）に示すように断面が概略人型となるように膨張する。このバルーン１２８２の膨張に伴って拡散透過部１２８１の形状も変化する。一方で、バルーン１２８２は、排気管１２８６ｂからの気体の排出によって、図２（ｄ）に示すように断面が概略平板状となるように収縮する。このバルーン１２８２の収縮に伴って拡散透過部１２８１の形状も変化する。なお、以下の説明では、図２（ｃ）に示すようなスクリーン１２８の立体度が大きくなる状態を第１の状態と言い、図２（ｄ）に示すようなスクリーン１２８の立体度が小さくなる状態を第２の状態と言う。
【００３２】
なお、図２では、気体によってバルーン１２８２を膨張又は収縮させる例が示されている。これに対し、液体によってバルーン１２８２を膨張又は収縮させるようにしても良い。また、スクリーン１２８の形状を変化させるための手法は、バルーン１２８２による手法に限るものではない。例えば、機械的な手法によってスクリーン１２８の形状を変化させたりしても良い。
【００３３】
以下、投影装置１００の動作を説明する。図３は、本発明の一実施形態に係る投影装置１００による投影方法の処理を示したフローチャートである。図３の処理は、中央制御部１２０が主体となって制御される。
【００３４】
例えば、投影装置１００の電源がオンされた場合に図３の処理が開始される。ステップＳ１０１において、中央制御部１２０は、使用者によって投影開始の指示がされたか否かを判定する。例えば、使用者の操作部１２６の操作によって投影開始の指示がされた場合に、投影開始の指示がなされたと判定される。ステップＳ１０１において投影開始の指示がなされていないと判定された場合には、処理はステップＳ１０８に移行する。
【００３５】
ステップＳ１０１において投影開始の指示がなされたと判定された場合には、処理はステップＳ１０２に移行する。ステップＳ１０２において、中央制御部１２０は、投影画像データを取得する。投影画像データは、例えば入力部１０２を介して取得される。なお、投影画像データは、プログラムメモリ１２２等の投影装置１００に内蔵された記録媒体に記録されているものであっても良い。
【００３６】
ステップＳ１０３において、中央制御部１２０は、投影モードがキャラクタ重視モードであるか否かを判定する。本実施形態の投影装置１００は、投影モードとして、キャラクタ重視モードと文字重視モードとを有している。キャラクタ重視モードは、投影画像におけるキャラクタの表示を重視して広告効果を高めるモードである。文字重視モードは、投影画像における文字の見易さを重視するモードである。これらの投影モードの選択は、例えばコンテンツに含まれる投影画像の内容に応じて行われる。すなわち、文字データが含まれていない場合にはキャラクタ重視モードと判定され、文字データが含まれている場合には文字重視モードと判定される。勿論、使用者による操作部１２６の操作によって投影モードの選択が行われるように構成されていても良い。
【００３７】
ステップＳ１０３において、投影モードがキャラクタ重視モードであると判定された場合には、処理はステップＳ１０４に移行する。ステップＳ１０４において、中央制御部１２０は、スクリーン１２８が第１の状態となるようにスクリーン形状変更部１３０を制御する。すなわち、中央制御部１２０は、スクリーン形状変更部１３０によってバルーン１２８２に気体を供給する。第１の状態では、スクリーン１２８が凹凸を持つので、スクリーン１２８に投影される画像に立体感を与えることが可能である。これにより、観察者に対する広告効果を高めることができる。
【００３８】
ステップＳ１０３において、投影モードがキャラクタ重視モードでない、すなわち文字重視モードであると判定された場合には、処理はステップＳ１０５に移行する。ステップＳ１０４において、中央制御部１２０は、スクリーン１２８が第２の状態となるようにスクリーン形状変更部１３０を制御する。すなわち、中央制御部１２０は、スクリーン形状変更部１３０によってバルーン１２８２から気体を排出させる。第２の状態では、スクリーン１２８が平面である。平面状のスクリーン１２８に文字を投影することができるので、観察者にとって見易い文字が表示される。
【００３９】
ステップＳ１０６において、中央制御部１２０は、投影処理部１１４に対して画像投影の指示を送る。これを受けて、投影処理部１１４は、画像投影を制御する。
【００４０】
ステップＳ１０７において、中央制御部１２０は、使用者による画像投影の終了が指示されたか否かを判定する。ステップＳ１０７において、画像投影の終了が指示されていないと判定された場合に、処理はステップＳ１０２に戻る。
【００４１】
ステップＳ１０７において、使用者による画像投影の終了が指示されたと判定された場合に、処理はステップＳ１０８に移行する。ステップＳ１０８において、中央制御部１２０は、投影装置１００の電源がオフされたか否かを判定する。ステップＳ１０８において、投影装置１００の電源がオフされていないと判定された場合に、処理はステップＳ１０１に戻る。ステップＳ１０８において、投影装置１００の電源がオフされたと判定された場合に、図３の処理は終了される。
【００４２】
以上説明したように本実施形態によれば、投影モードがキャラクタ重視モードか文字重視モードかに応じてスクリーンの立体度を変化させるようにしている。このように、本実施形態では用途に応じてスクリーンの立体度を変化させることができるので、汎用性をより高めることが可能である。なお、本実施形態によれば、投影モードがキャラクタ重視モードか文字重視モードかを投影開始前に判断し、投影終了まで同じ立体度としたが、投影中の投影画像データを随時判断し、投影モードを変更するようにしてもよい。また、本実施形態によれば、文字データが含まれていない場合にはキャラクタ重視モードと判定し、文字データが含まれている場合には文字重視モードと判定するようにしたが、予め投影画像データに投影モードの情報を含ませるようにしておき、その投影モードの情報に対応させ、投影モードを変更するようにしてもよい。
【００４３】
［変形例］
以下、本一実施形態の変形例について説明する。  
前述した実施形態ではスクリーン１２８の状態が第１の状態と第２の状態の２つのみである。しかしながら、スクリーン形状変更部１３０から供給する気体の量を制御することによってスクリーン１２８の状態の数を２つ以上とすることもできる。この場合、バルーン１２８２内の気圧の制御ができるようにスクリーン形状変更部１３０の圧力センサを持たせることが望ましい。
【００４４】
また、前述した実施形態では投影画像中の文字の有無によってスクリーン１２８の状態を変更している。しかしながら、必ずしも文字の有無によってスクリーン１２８の状態を変更する必要はなく、文字の有無以外の条件によってスクリーン１２８の状態を変更するようにしても良い。以下、このような変形例について説明する。この変形例は、音声に応じて連続的にスクリーン１２８の状態を変更する例である。
【００４５】
図４は、本発明の一実施形態に係る投影装置１００による投影方法の処理を示したフローチャートである。図４の処理は、中央制御部１２０が主体となって制御される。なお、図４において図３と類似の処理については簡単に説明する。
【００４６】
ステップＳ２０１において、中央制御部１２０は、使用者によって投影開始の指示がされたか否かを判定する。ステップＳ２０１において投影開始の指示がなされていないと判定された場合には、処理はステップＳ２０９に移行する。
【００４７】
ステップＳ２０１において投影開始の指示がなされたと判定された場合には、処理はステップＳ２０２に移行する。ステップＳ２０２において、中央制御部１２０は、投影画像データを取得する。
【００４８】
ステップＳ２０３において、中央制御部１２０は、投影画像データに関連付けられた音声データがあるか否かを判定する。
【００４９】
ステップＳ２０３において、音声データがないと判定された場合には、処理はステップＳ２０５に移行する。ステップＳ２０５において、中央制御部１２０は、通常の投影処理を行う。通常の投影処理は、例えば図３のステップＳ１０３〜ステップＳ１０６の処理である。通常の投影処理の後、処理はステップＳ２０８に移行する。
【００５０】
ステップＳ２０３において、音声データがあると判定された場合には、処理はステップＳ２０４に移行する。ステップＳ２０４において、中央制御部１２０は、音声データを取得する。
【００５１】
ステップＳ２０６において、中央制御部１２０は、投影処理部１１４に対して画像投影の指示を送るとともに、音声処理部１１６に対して音声再生の指示を送る。これを受けて、投影処理部１１４は画像投影を制御し、音声処理部１１６は音声再生を制御する。
【００５２】
ステップＳ２０７において、中央制御部１２０は、音声データに応じてスクリーン１２８の状態を変化させるようにスクリーン形状変更部１３０を制御する。例えば、中央制御部１２０は、音量が大きくなるほどにバルーン１２８２の膨張度を大きくするようにスクリーン形状変更部１３０によってバルーン１２８２内の気圧を制御する。これにより、音量によってスクリーン１２８が膨張と収縮を繰り返すような視覚効果を与えることができる。
【００５３】
ステップＳ２０８において、中央制御部１２０は、使用者による画像投影の終了が指示されたか否かを判定する。ステップＳ２０８において、画像投影の終了が指示されていないと判定された場合に、処理はステップＳ２０２に戻る。
【００５４】
ステップＳ２０８において、使用者による画像投影の終了が指示されたと判定された場合に、処理はステップＳ２０９に移行する。ステップＳ２０９において、中央制御部１２０は、投影装置１００の電源がオフされたか否かを判定する。ステップＳ２０９において、投影装置１００の電源がオフされていないと判定された場合に、処理はステップＳ２０１に戻る。ステップＳ２０９において、投影装置１００の電源がオフされたと判定された場合に、図４の処理は終了される。
【００５５】
以上説明した変形例によれば、文字情報の有無以外の条件に応じてスクリーンの立体度を変化させることができるので、前述の実施形態よりも汎用性を高めることが可能である。なお、本実施形態の変形例によれば、音声に応じて連続的にスクリーン１２８の状態を変更するようにしたが、予め画像又は音声に対応した膨張度にするためのバルーン１２８２内の気圧の情報を投影画像データに含ませるようにしておき、膨張と収縮を繰り返すようにしても良い。
【００５６】
以上実施形態に基づいて本発明を説明したが、本発明は前述した実施形態に限定されるものではなく、本発明の要旨の範囲内で種々の変形や応用が可能なことは勿論である。また、前述の各動作フローチャートの説明において、便宜上「まず」、「次に」等を用いて動作を説明しているが、この順で動作を実施することが必須であることを意味するものではない。
【００５７】
また、前述した実施形態による各処理は、コンピュータとしてのＣＰＵ等に実行させることができるプログラムとして記憶させておくこともできる。この他、メモリカード、磁気ディスク、光ディスク、半導体メモリ等の外部記憶装置の記憶媒体に格納して配布することができる。そして、ＣＰＵ等は、この外部記憶装置の記憶媒体に記憶されたプログラムを読み込み、この読み込んだプログラムによって動作が制御されることにより、上述した処理を実行することができる。
【００５８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、前述したような課題を解決でき、前述したような効果が得られる場合には、この構成要件が削除された構成も発明として抽出され得る。
【００５９】
ここで、本発明の要旨をまとめると以下のようなものを含む。  
［１］  立体度を変化可能に構成されたスクリーンの前記立体度を変化させるスクリーン形状変更部と、
前記スクリーンに投影すべき投影画像を含むコンテンツに応じた立体度となるように前記スクリーン形状変更部を制御するスクリーン形状制御部と、
前記投影画像を前記スクリーンに投影する投影処理部と、
を具備する投影装置。
［２］  前記スクリーン形状制御部は、投影画像におけるキャラクタの表示を重視して広告効果を高める投影モードであるキャラクタ重視モードの場合の前記立体度を、前記投影画像における文字の見易さを重視する投影モードである文字重視モードの場合の前記立体度に比べて大きくする［１］に記載の投影装置。
［３］  前記スクリーン形状制御部は、前記投影画像に応じて前記投影モードが前記キャラクタ重視モードと前記文字重視モードとの何れであるかを判定する［２］に記載の投影装置。
［４］  前記コンテンツは、さらに音声を含み、
前記スクリーン形状制御部は、前記音声に応じて前記スクリーン形状変更部を制御する［１］乃至［３］の何れか１項に記載の投影装置。
［５］  立体度を変化可能に構成されたスクリーンに投影すべき投影画像を含むコンテンツを取得することと、
取得されたコンテンツに応じた立体度となるように前記スクリーンを制御することと、
前記投影画像を前記スクリーンに投影することと、
を具備する投影方法。
［６］  立体度を変化可能に構成されたスクリーンに投影すべき投影画像を含むコンテンツを取得することと、
取得されたコンテンツに応じた立体度となるように前記スクリーンを制御することと、
前記投影画像を前記スクリーンに投影することと、
をコンピュータに実行させるための投影プログラム。
【符号の説明】
【００６０】
１００  投影装置、１０２  入力部、１０４  画像変換部、１０６  光源部、１０８  反射ミラー、１１０  マイクロミラー素子、１１２  投影レンズ部、１１４  投影処理部、１１６  音声処理部、１１８  スピーカ、１２０  中央制御部、１２２  プログラムメモリ、１２４  メインメモリ、１２６  操作部、１２８  スクリーン、１３０  スクリーン形状変更部、１３２  システムバス、１２０１  スクリーン形状制御部、１２８１  拡散透過部、１２８２  バルーン、１２８３  フレネルレンズ、１２８４ａ  吸気口、１２８４ｂ  排気口、１２８５ａ  吸気弁、１２８５ｂ  排気弁、１２８６ａ  吸気管、１２８６ｂ  排気管
【図１】
2016090818.tif 000003
【図２】
2016090818.tif 000004
【図３】
2016090818.tif 000005
【図４】
2016090818.tif 000006